(57)【要約】  表示装置は、撮像装置によって生成された動画像データと、動画像データを生成している間の撮像装置の速度情報を取得する取得部と、取得部で取得した速度情報に基づいて、動画像データを用いて表示部に表示させる動画像に対して処理する領域を制御する表示制御部とを備える。
2018062538.tif 000002
【特許請求の範囲】
【請求項１】
撮像装置によって生成された動画像データと、前記動画像データを生成している間の前記撮像装置の速度情報を取得する取得部と、
前記取得部で取得した速度情報に基づいて、前記動画像データを用いて表示部に表示させる動画像に対して処理する領域を制御する表示制御部と、
を備える表示装置。
【請求項２】
請求項１に記載の表示装置において、
前記取得部は前記撮像装置の移動速度の情報を取得し、
前記表示制御部は、前記取得部が取得した移動速度の情報に基づいて前記動画像を処理する領域を制御する表示装置。
【請求項３】
請求項２に記載の表示装置において、
前記表示制御部は、前記移動速度が大きくなるにつれて、前記表示部に表示させる前記動画像の領域を狭くする表示装置。
【請求項４】
請求項３に記載の表示装置において、
前記表示制御部は、前記移動速度が第１移動速度よりも速い第２移動速度になると、前記表示部に前記動画像の第１の領域よりも狭い第２の領域を表示させる表示装置。
【請求項５】
請求項２に記載の表示装置において、
前記動画像の一部の領域に画像処理を行う画像処理部を備え、
前記画像処理部は、前記移動速度が大きくなるにつれて、画像処理を行う領域を大きくし、
前記表示制御部は、前記画像処理部によって一部の領域に画像処理が行われた動画像を表示させる表示装置。
【請求項６】
請求項５に記載の表示装置において、
前記画像処理部は、前記撮像装置の移動速度が第１移動速度よりも速い第２移動速度になると、前記動画像の領域のうちの第１の領域よりも広い第２の領域に画像処理を行う表示装置。
【請求項７】
請求項２に記載の表示装置において、
前記表示制御部は、前記移動速度の情報に基づいて前記動画像の特定の被写体にブレを付加した画像を表示させる表示装置。
【請求項８】
請求項１に記載の表示装置において、
前記取得部は前記撮像装置と特定の対象物までの距離情報を取得し、    
前記表示制御部は、前記取得部が取得した距離情報による距離の変化の大きさに基づいて前記動画像を処理する領域を制御する表示装置。
【請求項９】
請求項８に記載の表示装置において、
前記表示制御部は、前記距離の変化が大きくなるにつれて、前記表示部に表示させる前記動画像の領域を狭くする表示装置。
【請求項１０】
請求項９に記載の表示装置において、
前記表示制御部は、前記距離の変化の大きさが、第１の大きさよりも大きい第２の大きさになると前記動画像の第１の領域よりも狭い第２の領域を表示させる表示装置。
【請求項１１】
請求項８に記載の表示装置において、
前記動画像の一部の領域に画像処理を行う画像処理部を備え、
前記画像処理部は、前記距離の変化が大きくなるにつれて、画像処理を行う領域を大きくし、
前記表示制御部は、前記画像処理部によって一部の領域に画像処理が行われた動画像を表示させる表示装置。
【請求項１２】
請求項１１に記載の表示装置において、
前記画像処理部は、前記距離の変化の大きさが第１の大きさよりも大きい第２の大きさになると、前記動画像の領域のうちの第１の領域のよりも広い第２の領域に画像処理を行う表示装置。
【請求項１３】
請求項８に記載の表示装置において、
前記表示制御部は、前記距離の変化の大きさに基づいて前記動画像の特定の被写体にブレを付加した画像を表示させる表示装置。
【請求項１４】
請求項１に記載の表示装置において、
前記取得部は特定の対象物の大きさの情報を取得し、
前記表示制御部は、前記取得部が取得した大きさの変化の大きさに基づいて前記動画像を処理する領域を制御する表示装置。
【請求項１５】
請求項１４に記載の表示装置において、
前記表示制御部は、前記大きさの変化が大きくなるにつれて、前記表示部に表示させる前記動画像の領域を狭くする表示装置。
【請求項１６】
請求項１５に記載の表示装置において、
前記表示制御部は、前記大きさの変化の大きさが、第１の大きさよりも大きい第２の大きさになると前記動画像の第１の領域よりも狭い第２の領域を表示させる表示装置。
【請求項１７】
請求項１４に記載の表示装置において、
前記動画像の一部の領域に画像処理を行う画像処理部を備え、
前記画像処理部は、前記大きさの変化が大きくなるについて、画像処理を行う領域を大きくし、
前記表示制御部は、前記画像処理部によって一部の領域に画像処理が行われた動画像を表示させる表示装置。
【請求項１８】
請求項１７に記載の表示装置において、
前記画像処理部は、前記大きさの変化が第１の大きさよりも大きい第２の大きさになると、前記動画像の領域のうちの第１の領域のよりも広い第２の領域に画像処理に画像処理を行う表示装置。
【請求項１９】
請求項１４に記載の表示装置において、
前記表示制御部は、前記大きさの変化に基づいて前記動画像の特定の被写体にブレを付加した画像を表示させる表示装置。
【請求項２０】
請求項１に記載の表示装置において、
前記取得部は音の情報を取得し、
前記表示制御部は、前記音の大きさに基づいて前記動画像を処理する領域を制御する表示装置。
【請求項２１】
請求項２０に記載の表示装置において、
前記表示制御部は、前記音の大きさが大きくなるにつれて、前記表示部に表示させる前記動画像の領域を狭くする表示装置。
【請求項２２】
請求項２１に記載の表示装置において、
前記表示制御部は、前記音の大きさが、第１の大きさよりも大きい第２の大きさになると前記動画像の第１の領域よりも狭い第２の領域を表示させる表示装置。
【請求項２３】
請求項２０に記載の表示装置において、
前記動画像の一部の領域に画像処理を行う画像処理部を備え、
前記画像処理部は、前記音の大きさが大きくなるについて、画像処理を行う領域を大きくし、
前記表示制御部は、前記画像処理部によって一部の領域に画像処理が行われた動画像を表示させる表示装置。
【請求項２４】
請求項２３に記載の表示装置において、
前記画像処理部は、前記音の大きさが第１の大きさよりも大きい第２の大きさになると、前記動画像の領域のうちの第１の領域のよりも広い第２の領域に画像処理に画像処理を行う表示装置。
【請求項２５】
請求項２０に記載の表示装置において、
前記表示制御部は、前記音の大きさに基づいて前記動画像の特定の被写体にブレを付加した画像を表示させる表示装置。
【請求項２６】
コンピュータに、
撮像装置によって生成された動画像データと、前記動画像データを生成している間の前記撮像装置の速度情報を取得させる第１手順と、
前記第1手順で取得した速度情報に基づいて、前記動画像データを用いて表示部に表示させる動画像に対して処理する領域を制御する第２手順と、
を実行させるプログラム。
【請求項２７】
撮像装置によって生成された動画像データと、前記撮像装置が撮像している間の移動に関する情報と、を取得する取得部と、
前記取得部で取得した移動に関する情報に基づいて、前記動画像データの表示を制御する制御部と、
を備える表示装置。
【発明の詳細な説明】
【技術分野】
【０００１】
本発明は、表示装置およびプログラムに関する。
【背景技術】
【０００２】
移動する人や物体に取り付けられて、動画像を撮像するのに適した撮像装置が知られている（特許文献１参照）。撮像時に撮像装置が移動する場合があるが、移動して撮影することについて考慮されているものではなかった。
【先行技術文献】
【特許文献】
【０００３】
【特許文献１】日本国特開２０１２−２０５１６３号公報
【発明の概要】
【０００４】
（１）本発明の第１の態様による表示装置は、撮像装置によって生成された動画像データと、前記動画像データを生成している間の前記撮像装置の速度情報を取得する取得部と、前記取得部で取得した速度情報に基づいて、前記動画像データを用いて表示部に表示させる動画像に対して処理する領域を制御する表示制御部と、を備える。
（２）本発明の第１の態様によるプログラムは、コンピュータに、撮像装置によって生成された動画像データと、前記動画像データを生成している間の前記撮像装置の速度情報を取得させる第１手順と、前記第1手順で取得した速度情報に基づいて、前記動画像データを用いて表示部に表示させる動画像に対して処理する領域を制御する第２手順と、を実行させる。
（３）本発明の第３の態様による表示装置は、撮像装置によって生成された動画像データと、前記撮像装置が撮像している間の移動に関する情報と、を取得する取得部と、前記取得部で取得した移動に関する情報に基づいて、前記動画像データの表示を制御する制御部と、を備える。
【図面の簡単な説明】
【０００５】
【図１】第１の実施の形態による画像表示装置の要部構成を説明するブロック図である。
【図２】移動する人物の例としてゲレンデを滑り下りるスキーヤーを挙げ、スキーヤーの頭部にカメラを取り付けた様子を模式的に示す図である。
【図３】図２に示すようにスキーヤーの頭部に取り付けられたカメラで撮像した動画像のあるフレームにおける画像の一例である。
【図４】記憶装置に記録されている動画像の各フレームの画像と、モニタに表示される画像との関係を示す図である。
【図５】第１の実施の形態の画像表示装置で行われる処理を示したフローチャートである。
【図６】第２の実施の形態のカメラの構成示すブロック図である。
【図７】処理対象領域および非対象領域を説明するための図である。
【図８】第２の実施の形態の画像表示装置で行われる処理を示したフローチャートである。
【図９】第３の実施の形態のカメラの構成示すブロック図である。
【図１０】第３の実施の形態における各フレームで撮像して得られる画像と、本実施の形態で得られる画像との関係を示す図である。
【図１１】第３の実施の形態のカメラの撮像に関する処理を示したフローチャートである。
【図１２】第４の実施の形態のカメラの撮像に関する処理を示したフローチャートである。
【図１３】変形例を説明する図である。
【図１４】変形例を説明する図である。
【図１５】変形例を説明する図である。
【発明を実施するための形態】
【０００６】
−−−第１の実施の形態−−−
図１〜図５を参照して、画像表示装置の第１の実施の形態を説明する。図１は、第１の実施の形態の画像表示装置の構成示すブロック図である。
本実施の形態の画像表示装置は、画像を表示するためのモニタを有するパーソナルコンピュータ等により構成される。この画像表示装置では、外部の撮像装置で撮像して得られた動画像や静止画像を表示できる。以下、詳細に説明する。
【０００７】
図１は、第１の実施の形態による画像表示装置１００の要部構成を説明するブロック図である。画像表示装置１００は、制御回路１０１、ＨＤＤやＳＳＤ等の記憶装置１０２、モニタ１０４、メモリ１０５、入力部材１０６、メモリカードインタフェース１０７、および外部インタフェース１０８を備える。
【０００８】
入力部材１０６は、ユーザによって操作されるスイッチやボタンを有するキーボードや、マウス等の操作部材である。入力部材１０６は、モニタ１０４に表示されたメニュー画面からユーザが所望するメニューや設定を選択し、選択したメニューや設定を実行させる際にユーザにより操作される。
【０００９】
記憶装置１０２には、たとえば外部の撮像装置で撮影した動画像や静止画像に対応する画像ファイルなどが記録されている。外部インタフェース１０８は、たとえばＵＳＢインタフェースケーブルや無線伝送路を介して撮像装置等の外部機器とデータ通信を行う。画像表示装置１００は、メモリカードインタフェース１０７や外部インタフェース１０８を介してメモリカード１０７ａや外部機器から画像ファイルなどを入力する。入力された画像ファイルは、制御回路１０１により制御されて記憶装置１０２に記録される。たとえば、外部の撮像装置で生成された画像ファイルは、制御回路１０１により制御されて記憶装置１０２に記録される。記憶装置１０２には、制御回路１０１で実行される各種のプログラム等が記録される。
なお、第１の実施の形態では、外部の撮像装置で生成された動画像の画像ファイルには、後述するように動画像の各フレームごとに撮像した時の撮像装置の速度情報が含まれている。以下の第１の実施の形態では速度情報を移動速度の情報として説明する。ここで、速度情報（移動速度の情報）は、フレームごとに有している必要はなく、所定のフレーム間隔（３フレームごと）に有していてもよく、所定の時間間隔（例えば３秒おき）で有していてもよい。また、加速度に所定の変化があった時刻ごと移動速度の情報（あるいは移動速度を算出できる情報）を有していてもよい。以下の説明では、動画像の各フレームを撮像した時の撮像装置の移動速度の情報を移動速度データとも呼ぶ。
【００１０】
制御回路１０１は、画像表示装置１００の制御を行うマイクロコンピュータであり、ＣＰＵやＲＯＭその他周辺回路により構成される。制御回路１０１は、画像データ入力部１０１ａと、表示範囲設定部１０１ｂと、表示画像生成部１０１ｃとを機能として備える。
画像データ入力部１０１ａは、たとえば記憶装置１０２に記録されている画像ファイルのデータを読み出す。
【００１１】
表示範囲設定部１０１ｂは、動画像の各フレームに対して、モニタ１０４に表示させる範囲を設定する。表示画像生成部１０１ｃは、動画像の各フレームに対して、表示範囲設定部１０１ｂが設定した範囲がモニタ１０４に表示されるように表示用の画像信号を生成する。
表示範囲設定部１０１ｂにおける表示範囲の設定、および表示画像生成部１０１ｃにおける表示用の画像信号の生成については、後で詳述する。
【００１２】
メモリ１０５は制御回路１０１のワーキングメモリであり、たとえばＳＤＲＡＭにより構成される。モニタ１０４は、たとえば液晶モニタである。
【００１３】
移動する人や物体に取り付けて被写体を撮像することにより、動画像や静止画像を生成する撮像装置として、例えばアクションカメラ、アクションカム、ウェアラブルカメラ等の名称で呼ばれるカメラが知られている。このカメラは、たとえば図２に示すように移動する人物や物体に取り付けて撮影し、動画像を生成できる。このカメラは、たとえば、加速度センサなどを内蔵し、加速度センサの検出出力に基づきカメラの移動速度を算出して、動画像の各フレームを撮像した時のカメラ移動速度を当該フレームに関連付けて記録する。また移動速度算出部３４ｂは、グローバルポジショニングシステム（GPS）からの信号により、カメラ１の移動速度を算出してもよい。図２は、移動する人物の例としてゲレンデを滑り下りるスキーヤー（競技者）を挙げ、スキーヤーの頭部にカメラ１を取り付けた様子を模式的に示す図である。図２に示す例では、カメラ１は、スキーヤーの頭部に取り付けられているが、スキーヤーの胸部や腕部に取り付けられていてもよく、スキー板に取り付けられていてもよい。
【００１４】
図３は、図２に示すようにスキーヤーの頭部に取り付けられたカメラ１で撮像して生成した動画像のあるフレームにおける画像の一例であり、ゲレンデの様子を示している。この画像５０には、雪が積もっている斜面５１の両脇に複数の木５２が存在している。画像５０では、斜面５１の向こう側には、山５３が写っており、山５３の上には空５４が写っている。
【００１５】
この種のカメラは、一般に撮影光学系が短い焦点距離、すなわち画角が広角で撮影される場合が多い。撮像時にカメラ１が移動する場合、画角が広角であると速度感が薄れてしまうおそれがある。たとえば、図２に示すように、人物とともにカメラ１が移動する場合、カメラ１で撮像して得られる動画像では、たとえば図３における木５２などの周囲の風景が移動する様子が記録されるが、再生時に速度感が薄れてしまうおそれがある。そのため、撮影して生成された動画像を再生すると、実際に撮影時にスキーヤーが体感している速度感よりも速度感が薄れてしまうおそれがある。
【００１６】
一般的に、人間の視野は、その人間の移動速度が速くなるほど狭くなる傾向にある。カメラ１では、画像５０に示す範囲が撮像されるが、スキーヤーの滑降速度が速くなると、たとえば、スキーヤーの視野は、枠８１で示すような範囲へと狭まる。
【００１７】
そこで、第１の実施の形態の画像表示装置１００では、動画像の閲覧者に速度感を感じさせるために、カメラ１の移動速度が速くなる場面では、モニタ１０４に表示される動画像の範囲が狭まるようにする。すなわち、第１の実施の形態の画像表示装置１００では、カメラ１の移動速度が速くなる場面では、撮像して得られた画像の一部だけを切り出し、切り出した画像を拡大してモニタ１０４に表示させる。このようにして、実際に撮影時にスキーヤーが体感している速度感を閲覧者に感じさせる。なお、画像表示装置１００は、カメラ１の移動速度が遅い場面では、撮像して得られた画像の全範囲をモニタ１０４に表示させる。
具体的には、制御回路１０１は、次のようにしてカメラ１の移動速度に基づいてモニタ１０４に表示させる画像の範囲を変更し、モニタ１０４に表示させる。
【００１８】
制御回路１０１の画像データ入力部１０１ａは、記憶装置１０２に記録されている動画像の画像ファイルから動画像の各フレームの画像データと、各フレームを撮像した時のカメラ１の移動速度Ｖの情報である移動速度データとを読み込む。
制御回路１０１の表示範囲設定部１０１ｂは、カメラ１の移動速度Ｖが第１の所定値Ｖ１以上であるフレームについては、そのフレームの画像の一部を切り出すクロップ処理を行う。以下の説明では、クロップ処理によって切り出す領域をクロップ領域と呼ぶ。たとえば、表示範囲設定部１０１ｂは、クロップ処理によって、図３の画像５０に対して、枠８１で囲んだ範囲をクロップ領域に設定する。
【００１９】
詳述すると、表示範囲設定部１０１ｂは、カメラ１の移動速度Ｖが第１の所定値Ｖ１以上であり、かつ、第１の所定値Ｖ１よりも大きい第２の所定値Ｖ２未満であるフレームについては、そのフレームの画像に対して第１のクロップ領域を設定する。
また、表示範囲設定部１０１ｂは、カメラ１の移動速度Ｖが第２の所定値Ｖ２以上であるフレームについては、そのフレームの画像に対して第１のクロップ領域よりも狭い第２のクロップ領域を設定する。
なお、表示範囲設定部１０１ｂは、カメラ１の移動速度Ｖが第１の所定値Ｖ１未満であるフレームや、移動速度データが存在しないフレームについては、クロップ処理を行わない。
【００２０】
第１のクロップ領域や第２のクロップ領域の大きさは、あらかじめ設定された大きさであってもよく、画像ファイルに記録されている撮像時の焦点距離や露光時間やＩＳＯ感度や絞り値やフレームレート等の撮像条件に基づいて変化する可変値であってもよい。
なお、カメラ１の移動速度Ｖに応じてクロップ領域の大きさを上述したように２段階で変更することは、一例であり、１段階であってもよく、３段階以上であってもよい。また、上述したようにクロップ領域の大きさを移動速度Ｖに応じて段階的に変更するのではなく、カメラ１の移動速度Ｖに応じて連続的にクロップ領域の大きさを変更するようにしてもよい。具体的には、カメラ１の移動速度が速くなるほど、クロップ領域の大きさを狭くするようにしてもよい。例えば、初期設定で設定されるクロップ領域からカメラ１の移動速度が速くなるほど連続的にクロップ領域の大きさを狭くすることとしてもよい。
【００２１】
なお、クロップ領域の中心位置は、そのフレームの画像の中心位置としてもよく、動画像の中の被写体の移動方向から推定されるカメラ１の移動方向に基づいて求めた位置としてもよい。また、動画像の中の被写体のうち、上述したようにして推定したカメラ１の移動方向とおおよそ同じ方向に存在する被写体を検出し、検出された被写体を撮影者が見ていると思われる被写体として推定し、この被写体の中心位置をクロップ領域の中心位置としてもよい。
【００２２】
また、クロップ領域の中心位置をユーザが設定できるようにしてもよい。たとえば、撮像時のカメラ１の向きとカメラ１の移動方向とがずれていたことを動画像の再生時にユーザが気付いた場合に、ユーザが入力部材１０６を操作することでクロップ領域の中心位置を設定できるようにすることが望ましい。
なお、後述する拡大処理の便宜上、クロップ領域は、撮像して得られる画像と同じアスペクト比を有する矩形形状であることが望ましい。
【００２３】
制御回路１０１の表示画像生成部１０１ｃは、クロップ処理によって切り出したクロップ領域の画像を、クロップ処理前の元の画像の大きさに拡大する拡大処理を行う。そして、拡大処理後の画像を、そのフレームの表示用の画像とする。したがって、そのフレームの再生時には、モニタ１０４には拡大処理後の画像が表示される。
なお、表示画像生成部１０１ｃは、上述したクロップ処理が行われていなければ上述した拡大処理は行わず、画像データ入力部１０１ａで読み込んだ画像をそのフレームの表示用の画像とする。したがって、そのフレームの再生時には、モニタ１０４には、記憶装置１０２に記録されている画像がそのまま表示される。
【００２４】
図４は、記憶装置１０２に記録されている動画像の各フレームの画像と、モニタ１０４に表示される画像との関係を示す図である。
フレームＦ１，Ｆ２の撮像時のカメラ１の移動速度Ｖが第１の所定値Ｖ１未満であった場合、表示画像生成部１０１ｃは、記憶装置１０２に記録されている各フレームＦ１，Ｆ２の画像５０１，５０２に対して上述したクロップ処理および拡大処理を行わない。表示画像生成部１０１ｃは、記憶装置１０２に記録されている各フレームＦ１，Ｆ２の画像５０１，５０２の画像を各フレームＦ１，Ｆ２の表示用の画像とする。したがって、モニタ１０４には画像５０１，５０２が表示される。
【００２５】
たとえば、フレームＦ３の撮像時のカメラ１の移動速度Ｖが第１の所定値Ｖ１以上であった場合について説明する。この場合、表示画像生成部１０１ｃは、記憶装置１０２に記録されているフレームＦ３の画像５０３に対して上述したクロップ処理を行う。すなわち、表示画像生成部１０１ｃは、記憶装置１０２に記録されているフレームＦ３の画像５０３に対して、クロップ領域８０３を設定し、設定したクロップ領域８０３を切り出す。
なお、表示画像生成部１０１ｃは、フレームＦ３の撮像時のカメラ１の移動速度Ｖが第１の所定値Ｖ１以上であり、かつ、第２の所定値Ｖ２未満であれば、画像５０３に対して第１のクロップ領域を設定する。また、表示画像生成部１０１ｃは、フレームＦ３の撮像時のカメラ１の移動速度Ｖが第２の所定値Ｖ２以上であれば、画像５０３に対して第２のクロップ領域を設定する。
そして、表示画像生成部１０１ｃは、クロップ処理によって切り出されたクロップ領域８０３の画像をクロップ処理前の画像５０３の大きさに拡大し、拡大後の画像７０３をフレームＦ３の表示用の画像とする。したがって、モニタ１０４には拡大後の画像７０３が表示される。
【００２６】
フレームＦ４の撮像時のカメラ１の移動速度Ｖがカメラ１の移動速度Ｖが第１の所定値Ｖ１以上であれば、表示画像生成部１０１ｂおよび表示画像生成部１０１ｃは、フレームＦ４の画像５０４に対しても上述したクロップ処理および拡大処理を行う。すなわち、表示画像生成部１０１ｂは、画像５０４に対して、クロップ領域８０４を設定し、設定したクロップ領域８０４を切り出す。そして、表示画像生成部１０１ｃは、クロップ領域８３４の画像をクロップ処理前の元の画像５０４の大きさに拡大し、拡大後の画像７０４をフレームＦ４の表示用の画像とする。したがって、モニタ１０４には拡大後の画像７０４が表示される。
【００２７】
このように、カメラ１の移動速度Ｖが速くなる場面では画像の一部が拡大されてモニタ１０４に表示されるので、モニタ１０４に表示された動画像を閲覧すると、閲覧者は、カメラ１の移動速度Ｖが速くなる場面では視野が狭まったように感じる。これにより、速度感が薄れてしまうことを抑制でき、動画像の閲覧者に臨場感を与えることができる。なお、図４の例のように、フレームＦ２からフレームＦ３のようにクロップ領域が変更される場合には、画像５０２から画像７０３に代わるのではなく、画像５０２からクロップ領域を徐々に狭くして画像を表示しながら、クロップ領域８０３の画像７０３を表示することとしてもよい。
【００２８】
図５は、第１の実施の形態の画像表示装置１００で行われる処理を示したフローチャートである。たとえば、ユーザによって入力部材１０６が操作されて、記憶装置１０２に記録されている動画像の画像ファイルの再生が指示されると、図５に示す処理が制御回路１０１で実行される。
【００２９】
ステップＳ１１において、制御回路１０１は、まだ表示させていないフレーム（未表示フレーム）の情報、すなわち記憶装置１０２に記録された画像データと移動速度データとを読み込んでステップＳ１３へ進む。ステップＳ１３において、制御回路１０１は、ステップＳ１１で読み込んだ未表示フレームの情報に移動速度データが含まれていたか否かを判断する。
【００３０】
ステップＳ１１で読み込んだ未表示フレームの情報に移動速度データが含まれていればステップＳ１３が肯定判断されてステップＳ１５へ進み、制御回路１０１の表示範囲設定部１０１ｂは、ステップＳ１１で読み込んだカメラ１の移動速度Ｖが第１の所定値Ｖ１未満であるか否かを判断する。
ステップＳ１１で読み込んだカメラ１の移動速度Ｖが第１の所定値Ｖ１以上であればステップＳ１５が否定判断されてステップＳ１７へ進み、制御回路１０１の表示範囲設定部１０１ｂは、ステップＳ１１で読み込んだカメラ１の移動速度Ｖが第２の所定値Ｖ２以上であるか否かを判断する。
【００３１】
ステップＳ１１で読み込んだカメラ１の移動速度Ｖが第２の所定値Ｖ２未満であればステップＳ１７が否定判断されてステップＳ２１へ進み、制御回路１０１の表示範囲設定部１０１ｂは、未表示フレームの画像に対して上述したように第１のクロップ領域を切り出すクロップ処理を行ってステップＳ２５へ進む。
ステップＳ１１で読み込んだカメラ１の移動速度Ｖが第２の所定値Ｖ２以上であればステップＳ１７が肯定判断されてステップＳ２３へ進み、制御回路１０１の表示範囲設定部１０１ｂは、未表示フレームの画像に対して上述したように第１のクロップ領域よりも小さな第２のクロップ領域を切り出すクロップ処理を行ってステップＳ２５へ進む。
【００３２】
ステップＳ２５において、制御回路１０１の表示画像生成部１０１ｃは、ステップＳ２１またはステップＳ２３のクロップ処理で切り出されたクロップ領域の画像に対して上述した拡大処理を行ってステップＳ２７へ進む。ステップＳ２７において、制御回路１０１は、ステップＳ２５で拡大処理を行った後の画像をモニタ１０４に表示させてステップＳ３１へ進む。
【００３３】
ステップＳ３１において、制御回路１０１は、再生が終了したか否か、すなわち、再生が指示された動画像の画像ファイルに含まれるすべてのフレームの画像を表示し終えたか否かを判断する。ステップＳ３１が肯定判断されると、制御回路１０１は本プログラムを終了する。ステップＳ３１が否定判断されるとステップＳ３３へ進み、制御回路１０１は、たとえば、ユーザによって入力部材１０６が操作されて、動画像の画像ファイルの再生停止が指示されたか否かを判断する。ステップＳ３３が否定判断されるとステップＳ１１へ戻る。ステップＳ３３が肯定判断されると、制御回路１０１は本プログラムを終了する。
【００３４】
ステップＳ１１で読み込んだ未表示フレームの情報に移動速度データが含まれていなければステップＳ１３が否定判断されてステップＳ２７へ進み、制御回路１０１は、ステップＳ１１で読み込んだ未表示フレームの画像をモニタ１０４に表示させてステップＳ３１へ進む。
ステップＳ１１で読み込んだカメラ１の移動速度Ｖが第１の所定値Ｖ１未満である場合も同様である。すなわち、ステップＳ１１で読み込んだカメラ１の移動速度Ｖが第１の所定値Ｖ１未満であればステップＳ１５が肯定判断されてステップＳ２７へ進み、制御回路１０１は、ステップＳ１１で読み込んだ未表示フレームの画像をモニタ１０４に表示させてステップＳ３１へ進む。
【００３５】
上述した第１の実施の形態によれば、次の作用効果が得られる。
（１）画像表示装置１００は、カメラ１によって撮像された動画像と、撮像時のカメラの移動速度Ｖに関する移動速度データとを取得する画像データ入力部１０１ａと、画像データ入力部１０１ａで取得した移動速度Ｖに基づいて動画像の表示領域を決定する表示範囲設定部１０１ｂと、表示範囲設定部１０１ｂで決定された表示領域内の動画像を表示するモニタ１０４と、を備える。
これにより、カメラ１の移動速度Ｖが速くなる場面では、モニタ１０４に表示される画像の一部を拡大して表示することができるので、モニタ１０４に表示された動画像を閲覧すると、閲覧者は、カメラ１の移動速度Ｖが速くなると視野が狭まったように感じる。これにより、速度感が薄れてしまうことを抑制でき、動画像の閲覧者に臨場感を与えることができる。
【００３６】
（２）表示範囲設定部１０１ｂは、移動速度Ｖが速くなった場合に表示領域を狭くする。これにより、カメラ１の移動速度Ｖが速くなる場面では、モニタ１０４に表示される画像の一部が拡大されて表示されるので、モニタ１０４に表示された動画像を閲覧すると、閲覧者は、カメラ１の移動速度Ｖが速くなると視野が狭まったように感じる。これにより、速度感が薄れてしまうことを抑制でき、動画像の閲覧者に臨場感を与えることができる。
【００３７】
−−−第２の実施の形態−−−
図６〜８を参照して、画像表示装置の第２の実施の形態を説明する。以下の説明では、第１の実施の形態と同じ構成要素には同じ符号を付して相違点を主に説明する。特に説明しない点については、第１の実施の形態と同じである。本実施の形態では、主に、カメラ１の移動速度Ｖが速くなる場面では、画像の一部を拡大する代わりに、画像の周辺部分の像の鮮明度を下げる点が、第１の実施の形態と異なる。
【００３８】
上述したように、一般的に、人間の視野は、その人間の移動速度が速くなるほど狭くなる傾向にある。そこで、第２の実施の形態の画像表示装置１００では、カメラ１の移動速度が速くなる場面では、動画像の閲覧者に動画像の範囲が狭まったように感じさせることで速度感を感じさせるために、モニタ１０４に表示される動画像の周辺部分の鮮明度を低下させる。
【００３９】
図６は、第２の実施の形態のカメラ１の構成示すブロック図である。制御回路１０１Ａは、画像データ入力部１０１ａと、表示画像生成部１０１ｃと、処理対象領域設定部１０１ｄとを機能として備える。処理対象領域設定部１０１ｄは、カメラ１の移動速度Ｖが第１の所定値Ｖ１以上であるフレームについては、そのフレームの画像の周辺部分の鮮明度を低下させる領域を設定する領域設定処理を行う。表示画像生成部１０１ｃは、対象領域設定処理によって設定された領域に対して鮮明度を低下させる鮮明度低下処理を行う。以下、領域設定処理および鮮明度低下処理について説明する。
【００４０】
本実施の形態において、鮮明度低下処理は、画像の周辺側の領域に対して、以下の（ａ）から（ｅ）に挙げた処理の少なくとも１つを行う処理である。
（ａ）像をぼかす。例えば像の輪郭を不鮮明にする。
（ｂ）コントラストを低下させる。
（ｃ）彩度を低下させる。
（ｄ）明度を低下させる。
（ｅ）ブラーを付加する。
【００４１】
ここで、（ｅ）で挙げた「ブラーを付加する」とは、露光時間が延長された場合と同様の像ブレを付与することである。このように像ブレを付与することを、以下の説明では、ブラーを付加する、ブラーを付与する等という。
露光時間が短い場合、像ブレが必要以上に抑制され、再生時に動画像の滑らかさが感じられ難くなり、速度感が薄れてしまうおそれがある。このような場合にはブラーを付加することで、適度な像ブレによって動画像が滑らかに再生されるので、再生された動画像を閲覧した閲覧者が速度感を感じることができ、臨場感を味わうことができる。
【００４２】
以下の説明では、鮮明度低下処理を行う領域を処理対象領域と呼び、鮮明度低下処理を行わない領域を非対象領域と呼ぶ。図７は、処理対象領域および非対象領域を説明するための図である。たとえば、処理対象領域設定部１０１ｄは、領域設定処理によって、あるフレームの画像５０に対して、枠８２の外側のハッチングを施した領域を処理対象領域８３に設定する。枠８２の内側の領域は非対象領域８４である。なお、図７における枠８２およびハッチングの線は、説明の便宜上記載したものであり、画像５０の再生時には現れない。
【００４３】
なお、非対象領域８４の中心位置は、そのフレームの画像の中心位置としてもよく、動画像の中の被写体の移動方向から推定されるカメラ１の移動方向に基づいて求めた位置としてもよい。また、動画像の中の被写体のうち、上述したようにして推定したカメラ１の移動方向とおおよそ同じ方向に存在する被写体を検出し、検出された被写体を撮影者が見ていると思われる被写体として推定し、この被写体の中心位置を非対象領域８４の中心位置としてもよい。
【００４４】
また、非対象領域８４の中心位置をユーザが設定できるようにしてもよい。たとえば、撮像時のカメラ１の向きとカメラ１の移動方向とがずれていたことを動画像の再生時にユーザが気付いた場合に、ユーザが入力部材１０６を操作することで非対象領域８４の中心位置を設定できるようにすることが望ましい。
なお、非対象領域８４の形状は、図７に示すように楕円形であってもよく、円形であってもよく、矩形であってもよく、直線や曲線で構成される閉じた形状であってもよい。
【００４５】
処理対象領域設定部１０１ｄは、カメラ１の移動速度Ｖが第１の所定値Ｖ１以上であり、かつ、第２の所定値Ｖ２未満であるフレームについては、そのフレームの画像に対して第１の処理対象領域を設定する。また、処理対象領域設定部１０１ｄは、カメラ１の移動速度Ｖが第２の所定値Ｖ２以上であるフレームについては、そのフレームの画像に対して第１の処理対象領域よりも広い第２の処理対象領域を設定する。すなわち、処理対象領域設定部１０１ｄは、カメラ１の移動速度Ｖが速くなるほど処理対象領域８３が広くなるように、換言すると非対象領域８４が狭くなるように、処理対象領域８３を設定する。
【００４６】
第１の処理対象領域や第２の処理対象領域の大きさは、あらかじめ設定された大きさであってもよく、画像ファイルに記録されている撮像時の焦点距離や露光時間やＩＳＯ感度や絞り値やフレームレート等の撮像条件に基づいて変化する可変値であってもよい。
なお、カメラ１の移動速度Ｖに応じて処理対象領域の大きさを上述したように２段階で変更することは、一例であり、１段階であってもよく、３段階以上であってもよい。また、上述したように処理対象領域の大きさを移動速度Ｖに応じて段階的に変更するのではなく、カメラ１の移動速度Ｖに応じて連続的に処理対象領域の大きさを変更するようにしてもよい。具体的には、カメラ１の移動速度Ｖが速くなるほど、処理対象領域の大きさを大きくするようにしてもよい。例えば、初期設定で設定される処理対象領域からカメラ１の移動速度Ｖが速くなるほど連続的に処理対象領域の大きさを大きくすることとしてもよい。
【００４７】
表示画像生成部１０１ｃは、設定された処理対象領域に対して、上述した鮮明度低下処理を行い、表示用の画像信号を生成する。したがって、そのフレームの再生時には、モニタ１０４には周辺部の鮮明度が低下した画像が表示される。
【００４８】
なお、表示画像生成部１０１ｃは、処理対象領域の全体が同程度に不鮮明となるように鮮明度低下処理を行ってもよく、非対象領域から離れるにつれてより不鮮明となるように鮮明度低下処理を行ってもよい。具体的には、表示画像生成部１０１ｃは、非対象領域から離れるにつれて像をぼかす程度、あるいは付加するブラーの程度を大きくする。また、例えば、表示画像生成部３４ｂは、非対象領域から離れるにつれてコントラスト、彩度あるいは明度の少なくともいずれかを低下させてもよい。これらのぼかし、コントラストの低下、彩度の低下、明度の低下、ブラーの付加は、いずれか一つのみを行ってもよく、２つ以上の画像処理を合わせて行ってもよい。
また、表示画像生成部１０１ｃは、カメラ１の移動速度Ｖが速くなるほど処理対象領域が不鮮明となるように鮮明度低下処理を行ってもよい。
【００４９】
なお、処理対象領域設定部１０１ｄは、カメラ１の移動速度Ｖが第１の所定値Ｖ１未満であるフレームや、移動速度Ｖの情報が存在しないフレームについては、そのフレームの画像に対して領域設定処理を行わない。
表示画像生成部１０１ｃは、上述した領域設定処理が行われていなければ上述した鮮明度低下処理は行わず、画像データ入力部１０１ａで読み込んだ画像をそのフレームの表示用の画像とする。したがって、そのフレームの再生時には、モニタ１０４には、記憶装置１０２に記録されている画像がそのまま表示される。
【００５０】
このように、カメラ１の移動速度Ｖが速くなる場面では画像の周辺部分の鮮明度を低下させた画像がモニタ１０４に表示されるので、モニタ１０４に表示された動画像を閲覧すると、閲覧者は、カメラ１の移動速度Ｖが速くなる場面では視野が狭まったように感じる。これにより、速度感が薄れてしまうことを抑制でき、動画像の閲覧者に臨場感を与えることができる。
【００５１】
図８は、第２の実施の形態の画像表示装置１００で行われる処理を示したフローチャートである。たとえば、ユーザによって入力部材１０６が操作されて、記憶装置１０２に記録されている動画像の画像ファイルの再生が指示されると、図８に示す処理が制御回路１０１Ａで実行される。ステップＳ１１からステップＳ１５までは、図５に示した第１の実施の形態と同じである。
【００５２】
ステップＳ１７において、制御回路１０１Ａの処理対象領域設定部１０１ｄは、ステップＳ１１で読み込んだカメラ１の移動速度Ｖが第２の所定値Ｖ２以上であるか否かを判断する。
ステップＳ１１で読み込んだカメラ１の移動速度Ｖが第２の所定値Ｖ２未満であればステップＳ１７が否定判断されてステップＳ４１へ進み、制御回路１０１Ａの処理対象領域設定部１０１ｄは、上述したように第１の処理対象領域を設定してステップＳ４５へ進む。
ステップＳ１１で読み込んだカメラ１の移動速度Ｖが第２の所定値Ｖ２以上であればステップＳ１７が肯定判断されてステップＳ４３へ進み、制御回路１０１Ａの処理対象領域設定部１０１ｄは、上述したように第１の処理対象領域よりも広い第２の処理対象領域を設定してステップＳ４５へ進む。
ステップＳ４５において、制御回路１０１Ａの表示画像生成部１０１ｃは、設定された処理対象領域に対して、上述した鮮明度低下処理を行ってステップＳ２７へ進む。ステップＳ２７において、制御回路１０１は、ステップＳ４５で鮮明度低下処理を行った後の画像をモニタ１０４に表示させてステップＳ３１へ進む。ステップＳ３１以降の処理は、図５に示した第１の実施の形態と同じである。
【００５３】
第２の実施の形態のカメラ１では、第１の実施の形態の作用効果に加えて次の作用効果を奏する。
（１）画像表示装置１００は、カメラ１によって撮像された動画像と、撮像時のカメラ１の移動速度Ｖに関する移動速度データとを取得する画像データ入力部１０１ａと、画像データ入力部１０１ａで取得した移動速度Ｖに基づいて動画像の周辺領域の像を不鮮明にする処理を行う処理対象領域設定部１０１ｄおよび表示画像生成部１０１ｃと、処理対象領域設定部１０１ｄおよび表示画像生成部１０１ｃで処理された動画像を表示するモニタ１０４と、を備える。
これにより、カメラ１の移動速度Ｖが速くなる場面では、モニタ１０４に表示される画像の周辺領域の鮮明度を低下させることができるので、モニタ１０４に表示された動画像を閲覧すると、閲覧者は、カメラ１の移動速度Ｖが速くなると視野が狭まったように感じる。これにより、速度感が薄れてしまうことを抑制でき、動画像の閲覧者に臨場感を与えることができる。
【００５４】
（２）処理対象領域設定部１０１ｄは、移動速度Ｖが速くなった場合に像を不鮮明にする領域を広くする。これにより、カメラ１の移動速度Ｖがより速くなる場面では、モニタ１０４に表示される画像における鮮明度を低下させる範囲が広がり、モニタ１０４に表示された動画像を閲覧すると、閲覧者は、より視野が狭まったように感じる。これにより、速度感が薄れてしまうことを抑制でき、動画像の閲覧者にさらに臨場感を与えることができる。
【００５５】
（３）表示画像生成部１０１ｃは、移動速度Ｖが速くなった場合に像をより不鮮明にする。これにより、カメラ１の移動速度Ｖがより速くなる場面では、モニタ１０４に表示される画像における周辺部分の鮮明度がより低下するので、モニタ１０４に表示された動画像を閲覧すると、閲覧者は、より視野が狭まったように感じる。これにより、速度感が薄れてしまうことを抑制でき、動画像の閲覧者にさらに臨場感を与えることができる。
【００５６】
（４）表示画像生成部１０１ｃは、動画像の中央の領域から離れるほど像をより不鮮明にする。これにより、モニタ１０４に表示された動画像を閲覧すると、閲覧者は、より視野が狭まったように感じる。これにより、速度感が薄れてしまうことを抑制でき、動画像の閲覧者にさらに臨場感を与えることができる。
【００５７】
−−−第３の実施の形態−−−
図９〜図１１を参照して、第３の実施の形態を説明する。以下の説明では、第１および第２の実施の形態と同じ構成要素には同じ符号を付して相違点を主に説明する。特に説明しない点については、第１および第２の実施の形態と同じである。第３の実施の形態では、主に、動画像の画角をカメラ１の撮像時に変更する点が第１の実施の形態と異なる。
【００５８】
上述した第１の実施の形態では、画角を変えずに撮像して得られた動画像を、再生時にカメラ１の移動速度が速くなる場面で画像を拡大して表示した。すなわち、第１の実施の形態では、再生時に画角を変更した。これに対し、第３の実施の形態では、撮像時に画角を変更する。すなわち、第３の実施の形態のカメラ１では、カメラ１の移動速度Ｖが速くなると撮像して得られた画像の一部だけを切り出し、切り出した画像を拡大して記録する。
【００５９】
図９は、第３の実施の形態のカメラ１の構成示すブロック図である。カメラ１は、撮像光学系３１と、撮像部３３と、制御部３４と、加速度センサ３５と、表示部３６と、操作部材３７と、記録部３８とを有する。
【００６０】
撮像光学系３１は、被写界からの光束を撮像部３３へ導く。撮像光学系３１には、不図示のレンズの他に絞り３２が設けられている。撮像部３３は、撮像素子３３ａおよび駆動部３３ｂを含み、撮像光学系３１によって結像された被写体の像を光電変換し、電荷を生成する。駆動部３３ｂは、撮像素子３３ａに露光制御、すなわち電荷の蓄積制御を行わせるために必要な駆動信号を生成する。撮像部３３に対する露光時間などの撮像指示は、制御部３４から駆動部３３ｂへ送信される。
【００６１】
制御部３４は、例えばＣＰＵによって構成され、カメラ１による全体の動作を制御する。例えば、制御部３４は、撮像部３３で取得された光電変換信号に基づいて所定の露出演算を行い、適正露出に必要な撮像素子３３ａの電荷蓄積時間（露光時間）、ＩＳＯ感度、絞り３２の絞り値等の露出条件を決定して駆動部３３ｂや絞り３２へ指示する。
【００６２】
制御部３４には、露出演算部３４ａと、移動速度算出部３４ｂと、画像処理部３４ｃとが含まれる。これらは、制御部３４が不図示の不揮発性メモリに格納されているプログラムを実行することにより、ソフトウェア的に実現されるが、これらをＡＳＩＣ等により構成しても構わない。
【００６３】
露出演算部３４ａは、撮像素子３３ａからの画像信号に基づいて被写体の明るさを検出し、適正露出に必要な露光時間やＩＳＯ感度や絞り値を決定する。
移動速度算出部３４ｂは、カメラ１の加速度の情報に基づいて、カメラ１の移動速度を算出する。
【００６４】
画像処理部３４ｃは、撮像部３３によって取得された画像データに対する画像処理を行う。画像処理には、例えば、色補間処理、画素欠陥補正処理、輪郭強調処理、ノイズ低減（Noise reduction）処理、ホワイトバランス調整処理、ガンマ補正処理、表示輝度調整処理、彩度調整処理等が含まれる。さらに、画像処理部３４ｃは、表示部３６により表示する画像を生成する。画像処理部３４ｃは、後で詳述する撮像時クロップ処理と、撮像時拡大処理とをさらに行うことができる。
【００６５】
加速度センサ３５は、カメラ１の加速度を検出し、検出結果を制御部３４の移動速度算出部３４ｂに出力し、移動速度算出部３４ｂは、加速度センサ３５が検出した加速度に基づきカメラ１の移動速度を算出する。
表示部３６は、画像処理部３４ｃによって生成された画像や画像処理された画像、記録部３８によって読み出された画像などを再生表示する。表示部３６は、操作メニュー画面や、撮像条件を設定するための設定画面等の表示も行う。
【００６６】
操作部材３７は、レリーズボタンやメニューボタン等の種々の操作部材によって構成される。操作部材３７は、各操作に対応する操作信号を制御部３４へ送出する。操作部材３７には、表示部３６の表示面に設けられたタッチ操作部材も含まれる。
記録部３８は、制御部３４からの指示に応じて、不図示のメモリカードなどで構成される記録媒体に画像データなどを記録する。また、記録部３８は、制御部３４からの指示に応じて記録媒体に記録されている画像データを読み出す。
【００６７】
このように構成されるカメラ１では、静止画像や動画像を撮像し、撮像して得られた画像データを記録媒体に記録できる。また、このカメラ１は、図２に示すように移動する人物や物体に取り付けて動画像を撮像するのに適している。
【００６８】
−−−撮像時クロップ処理および撮像時拡大処理について−−−
撮像時クロップ処理は、撮像して得られた画像の一部を切り出す処理である。以下の説明では、撮像時クロップ処理によって切り出す領域を撮像時クロップ領域と呼ぶ。たとえば、図３の画像５０を例に挙げて説明すると、画像処理部３４ｃは、画像５０に対して、枠８１で囲んだ範囲を撮像時クロップ領域に設定する。
なお、撮像時クロップ領域の中心位置は、撮像して得られた画像の中心位置としてもよく、カメラ１の移動方向に基づいて求めた位置としてもよい。なお、後述する撮像時拡大処理の便宜上、撮像時クロップ領域は、撮像して得られる画像と同じアスペクト比を有する矩形形状であることが望ましい。
【００６９】
画像処理部３４ｃは、カメラ１の移動速度Ｖが第１の所定値Ｖ１以上であり、かつ、第２の所定値Ｖ２未満であれば、撮像して得られた画像に対して第１の撮像時クロップ領域を設定する。また、画像処理部３４ｃは、カメラ１の移動速度Ｖが第２の所定値Ｖ２以上であれば、第１の撮像時クロップ領域よりも狭い第２の撮像時クロップ領域を設定する。
【００７０】
撮像時拡大処理は、上述した撮像時クロップ処理によって切り出した撮像時クロップ領域の画像を、撮像時クロップ処理前の元の画像の大きさに拡大する処理である。
画像処理部３４ｃは、撮像して得られた画像の画像データに代えて、上述した撮像時クロップ処理および撮像時拡大処理によって得られた画像の画像データを記録用の画像データとして扱う。
なお、画像処理部３４ｃは、移動速度算出部３４ｂで算出されたカメラ１の移動速度Ｖが第１の所定値Ｖ１未満であれば、上述した撮像時クロップ処理と、撮像時拡大処理とを行わず、撮像して得られた画像の画像データを記録用の画像データとして扱う。なお、撮像してクロップ処理をした画像については、記録時にはクロップにより生成した動画像の拡大処理を行わずに記録することとしてもよい。
【００７１】
図１０は、各フレームで撮像して得られる画像と、本実施の形態で得られる画像との関係を示す図である。
時刻ｔ３１，ｔ３２では、カメラ１の移動速度Ｖが第１の所定値Ｖ１未満であるものとする。この場合、画像処理部３４ｃは、時刻ｔ３１，ｔ３２から露光が開始される各フレームＦ３１，Ｆ３２において撮像して得られた画像５３１，５３２に対して上述した撮像時クロップ処理および撮像時拡大処理を行わない。画像処理部３４ｃは、各フレームＦ３１，Ｆ３２において撮像して得られた画像５３１，５３２の画像データを記録用の画像データとして扱う。
【００７２】
たとえば、時刻ｔ３２〜時刻ｔ３３の間にカメラ１の移動速度Ｖが速くなり、たとえば第１の所定値Ｖ１以上となった場合について説明する。この場合、画像処理部３４ｃは、時刻ｔ３３から露光が開始されるフレームＦ３３において撮像して得られた画像５３３に対して上述した撮像時クロップ処理および撮像時拡大処理を行う。すなわち、画像処理部３４ｃは、時刻ｔ３３から露光が開始されるフレームＦ３３において撮像して得られた画像５３３に対して、撮像時クロップ領域８３３を設定し、設定した撮像時クロップ領域８３３を切り出す。図１０に示した例では、画像処理部３４ｃは、撮像時クロップ領域８３３の中心位置をカメラ１の移動方向に基づいて求めた位置に設定している。
なお、画像処理部３４ｃは、カメラ１の移動速度Ｖが第１の所定値Ｖ１以上であり、かつ、第２の所定値Ｖ２未満であれば、画像５３３に対して第１の撮像時クロップ領域を設定する。また、画像処理部３４ｃは、カメラ１の移動速度Ｖが第２の所定値Ｖ２以上であれば、画像５３３に対して第２の撮像時クロップ領域を設定する。
【００７３】
そして、画像処理部３４ｃは、撮像時クロップ領域８３３の画像を撮像時クロップ処理前の元の画像５３３の大きさに拡大する処理を行い、画像７３３の画像データを得る。画像処理部３４ｃは、画像７３３の画像データをフレームＦ３３における記録用の画像データとして扱う。
【００７４】
時刻ｔ３３〜時刻ｔ３４の間において、カメラ１の移動速度Ｖがカメラ１の移動速度Ｖが第１の所定値Ｖ１以上であれば、画像処理部３４ｃは、時刻ｔ３４から露光が開始されるフレームＦ３４において撮像して得られた画像５３４に対しても上述した撮像時クロップ処理および撮像時拡大処理を行う。すなわち、画像処理部３４ｃは、画像５３４に対して、撮像時クロップ領域８３４を設定し、設定した撮像時クロップ領域８３４を切り出す。そして、画像処理部３４ｃは、撮像時クロップ領域８３４の画像を撮像時クロップ処理前の元の画像５３４の大きさに拡大する処理を行い、画像７３４の画像データを得る。画像処理部３４ｃは、画像７３４の画像データをフレームＦ３４における記録用の画像データとして扱う。
【００７５】
このように、カメラ１の移動速度Ｖが速くなると記録される画像の範囲が狭くなるので、本実施の形態のカメラ１で撮像された動画像を閲覧すると、閲覧者は、カメラ１の移動速度Ｖが速くなると視野が狭まったように感じる。これにより、速度感が薄れてしまうことを抑制でき、動画像の閲覧者に臨場感を与えることができる。
【００７６】
図１１は、第３の実施の形態のカメラ１の撮像に関する処理を示したフローチャートである。カメラ１の不図示の電源スイッチがオンされると、図１１に示す処理が制御部３４で実行される。ステップＳ１１１において、制御部３４は、ユーザによってあらかじめ設定されたフレームレートの値を読み込むなどの初期設定を行ってステップＳ１１３へ進む。ステップＳ１１３において、制御部３４は、レリーズボタンが操作されるなどして動画像の撮像開始が指示されるまで待機し、撮像開始が指示されると、初期設定された撮像条件で動画撮影を開始してステップＳ１１５へ進む。
【００７７】
ステップＳ１１５において、制御部３４の露出演算部３４ａは、撮像素子３３ａからの画像信号に基づいて被写体の明るさを検出し、適正露出を与える露光時間やＩＳＯ感度や絞り値を決定し、ステップＳ１１７へ進む。ステップＳ１１７において、制御部３４の移動速度算出部３４ｂは、加速度センサ３５で検出されたカメラ１の加速度の情報に基づいて、カメラ１の移動速度を算出してステップＳ１１８へ進む。
【００７８】
ステップＳ１１８において、制御部３４は、ステップＳ１１５で算出した露光時間やＩＳＯ感度や絞り値で撮像するように撮像部３３および絞り３２を制御してステップＳ１１９へ進む。ステップＳ１１９において、制御部３４の撮像制御部３４ｃは、ステップＳ１１７で算出されたカメラ１の移動速度Ｖが第１の所定値Ｖ１未満であるか否かを判断する。ステップＳ１１９が肯定判断されるとステップＳ１３５へ進む。ステップＳ１３５以降の処理については、後で説明する。
【００７９】
ステップＳ１１７で算出されたカメラ１の移動速度Ｖが第１の所定値Ｖ１以上であればステップＳ１１９が否定判断されてステップＳ１２３へ進む。ステップＳ１２３において、制御部３４の撮像制御部３４ｃは、ステップＳ１１７で算出されたカメラ１の移動速度Ｖが第２の所定値Ｖ２以上であるか否かを判断する。
ステップＳ１１７で算出されたカメラ１の移動速度Ｖが第２の所定値Ｖ２未満であればステップＳ１２３が否定判断されてステップＳ１７１へ進み、制御部３４の画像処理部３４ｃは、上述したように第１の撮像時クロップ領域を切り出す撮像時クロップ処理を行ってステップＳ１７５へ進む。
ステップＳ１１７で算出されたカメラ１の移動速度Ｖが第２の所定値Ｖ２以上であればステップＳ１２３が肯定判断されてステップＳ１７３へ進み、制御部３４の画像処理部３４ｃは、上述したように第２の撮像時クロップ領域を切り出す撮像時クロップ処理を行ってステップＳ１７５へ進む。
【００８０】
ステップＳ１７５において、制御部３４の画像処理部３４ｃは、ステップＳ１７１またはステップＳ１７３の撮像時クロップ処理で切り出された撮像時クロップ領域の画像に対して上述した撮像時拡大処理を行ってステップＳ１３５へ進む。
ステップＳ１３５において、制御部３４は、動画像の撮像の終了が指示されたか否かを判断する。ステップＳ３５が否定判断されるとステップＳ１１５へ戻り、ステップＳ１３５が肯定判断されるとステップＳ１３７へ進む。
【００８１】
ステップＳ１３７において、制御部３４は、不図示の電源スイッチがオフされたか否かを判断する。ステップＳ１３７が否定判断されるとステップＳ１１３へ戻り、ステップＳ１３７が肯定判断されると本プログラムを終了する。
【００８２】
第３の実施の形態のカメラ１では、上述した各実施の形態の作用効果に加えて次の作用効果を奏する。
（１）カメラ１は、撮像素子３３ａが生成した信号に画像処理を行う画像処理部３４ｃをさらに備える。画像処理部３４ｃは、加速度センサ３５および移動速度算出部３４ｂで検出された移動速度Ｖが速くなった場合に撮像して得られた画像の一部だけを切り出し、切り出した画像を拡大する。記録部３８は、画像処理部３４ｃが拡大した画像を記録する。
本実施の形態のカメラ１で撮像された動画像を閲覧すると、閲覧者は、カメラ１の移動速度Ｖが速くなると視野が狭まったように感じる。これにより、速度感が薄れてしまうことを抑制でき、動画像の閲覧者に臨場感を与えることができる。
【００８３】
−−−第４の実施の形態−−−
図１２を参照して、撮像装置の第４の実施の形態を説明する。以下の説明では、第１から第３の実施の形態と同じ構成要素には同じ符号を付して相違点を主に説明する。特に説明しない点については、第１から第３の実施の形態と同じである。第４の実施の形態では、主に、カメラ１の移動速度Ｖが速くなると、動画像の画角を変更する代わりに、画像の周辺部分の像の鮮明度を下げる点が第３の実施の形態と異なる。換言すると、第４の実施の形態では、撮像時に画像の周辺部分の像の鮮明度を低下させて記録する点が、第２の実施の形態と異なる。
【００８４】
上述したように、一般的に、人間の視野は、その人間の移動速度が速くなるほど狭くなる傾向にある。そこで、第４の実施の形態のカメラ１では、カメラ１の移動速度Ｖが速くなると動画像の閲覧者に動画像の範囲が狭まったように感じさせるために、カメラ１の移動速度Ｖが速くなると撮像して得られた画像の周辺部分の鮮明度を低下させて記録する。
【００８５】
第４の実施の形態のカメラ１の構成は、図９に示した第３の実施の形態のカメラ１の構成と同じである。なお、第４の実施の形態のカメラ１では、制御部３４の画像処理部３４ｃは、撮像時クロップ処理および撮像時拡大処理に代えて、画像の周辺部分の鮮明度を低下させる撮像時鮮明度低下処理を行うことができる。以下、撮像時鮮明度低下処理について説明する。
【００８６】
本実施の形態において、撮像時鮮明度低下処理は、撮像して得られた画像の周辺側の領域に対して、以下の（ａ）から（ｄ）に挙げた処理の少なくとも１つを行う処理である。
（ａ）像をぼかす。すなわち像の輪郭を不鮮明にする。
（ｂ）コントラストを低下させる。
（ｃ）彩度を低下させる。
（ｄ）明度を低下させる。
なお、第２の実施の形態と同様に、ブラーを付加する処理を行ってもよい。
【００８７】
以下の説明では、撮像時鮮明度低下処理を行う領域を撮像時処理対象領域と呼び、撮像時鮮明度低下処理を行わない領域を撮像時非対象領域と呼ぶ。撮像時処理対象領域は、第２の実施の形態における処理対象領域８３に相当し（図７参照）、撮像時非対象領域は、第２の実施の形態における非対象領域８４に相当する。画像処理部３４ｃは、撮像して得られた画像に対して、撮像時処理対象領域を設定する。
なお、撮像時非対象領域の中心位置は、撮像して得られた画像の中心位置としてもよく、カメラ１の移動方向に基づいて求めた位置としてもよい。また、撮像時非対象領域の形状は、第２の実施の形態の非対象領域８４と同様に楕円形であってもよく、円形であってもよく、矩形であってもよく、直線や曲線で構成される閉じた形状であってもよい。
【００８８】
画像処理部３４ｃは、カメラ１の移動速度Ｖが第１の所定値Ｖ１以上であり、かつ、第２の所定値Ｖ２未満であれば、撮像して得られた画像に対して第１の撮像時処理対象領域を設定する。また、画像処理部３４ｃは、カメラ１の移動速度Ｖが第２の所定値Ｖ２以上であれば、第１の撮像時処理対象領域よりも広い第２の撮像時処理対象領域を設定する。すなわち、画像処理部３４ｃは、カメラ１の移動速度Ｖが速くなるほど撮像時処理対象領域が広くなるように、換言すると撮像時非対象領域が狭くなるように、撮像時処理対象領域を設定する。そして、画像処理部３４ｃは、設定した撮像時処理対象領域に対して、上述した撮像時鮮明度低下処理を行う。
なお、画像処理部３４ｃは、撮像時処理対象領域の全体が同程度に不鮮明となるように撮像時鮮明度低下処理を行ってもよく、撮像時非対象領域から離れるにつれてより不鮮明となるように撮像時鮮明度低下処理を行ってもよい。具体的には、画像処理部３４ｂは、非対象領域から離れるにつれて像をぼかす程度を大きくする。また、例えば、画像処理部３４ｂは、非対象領域から離れるにつれてコントラスト、彩度あるいは明度の少なくともいずれかを低下させてもよい。これらのぼかし、コントラストの低下、彩度の低下、明度の低下は、いずれか一つのみを行ってもよく、２つ以上の画像処理を合わせて行ってもよい。
【００８９】
画像処理部３４ｃは、撮像して得られた画像の画像データに代えて、上述した撮像時鮮明度低下処理を施した画像の画像データを記録用の画像データとして扱う。
なお、画像処理部３４ｃは、移動速度算出部３４ｂで算出されたカメラ１の移動速度Ｖが第１の所定値Ｖ１未満であれば、上述した撮像時鮮明度低下処理を行わず、撮像して得られた画像の画像データを記録用の画像データとして扱う。
【００９０】
このように、カメラ１の移動速度Ｖが速くなると記録される画像の周辺部分の鮮明度が低下するので、本実施の形態のカメラ１で撮像された動画像を閲覧すると、閲覧者は、カメラ１の移動速度Ｖが速くなると視野が狭まったように感じる。これにより、速度感が薄れてしまうことを抑制でき、動画像の閲覧者に臨場感を与えることができる。
【００９１】
図１２は、第４の実施の形態のカメラ１の撮像に関する処理を示したフローチャートである。カメラ１の不図示の電源スイッチがオンされると、図１２に示す処理が制御部３４で実行される。ステップＳ１１１からステップＳ１２３までは、図１１に示した第３の実施の形態と同じである。
【００９２】
ステップＳ１２３において、制御部３４の撮像制御部３４ｃは、ステップＳ１１７で算出されたカメラ１の移動速度Ｖが第２の所定値Ｖ２以上であるか否かを判断する。
ステップＳ１１７で算出されたカメラ１の移動速度Ｖが第２の所定値Ｖ２未満であればステップＳ１２３が否定判断されてステップＳ１８１へ進み、制御部３４の画像処理部３４ｃは、上述したように第１の撮像時処理対象領域を設定し、撮像時鮮明度低下処理を行ってステップＳ１３５へ進む。
ステップＳ１１７で算出されたカメラ１の移動速度Ｖが第２の所定値Ｖ２以上であればステップＳ１２３が肯定判断されてステップＳ１８３へ進み、制御部３４の画像処理部３４ｃは、上述したように第２の撮像時処理対象領域を設定し、撮像時鮮明度低下処理を行ってステップＳ１３５へ進む。
【００９３】
第４の実施の形態のカメラ１では、上述した各実施の形態の作用効果に加えて次の作用効果を奏する。
（１）カメラ１は、撮像素子３３ａが生成した信号に画像処理を行う画像処理部３４ｃを備える。画像処理部３４ｃは、加速度センサ３５および移動速度算出部３４ｂで検出された移動速度Ｖが速くなった場合に撮像して得られた画像の周辺部分の鮮明度を低下させる撮像時鮮明度低下処理を行う。記録部３８は、撮像時鮮明度低下処理が行われた画像を記録する。
本実施の形態のカメラ１で撮像された動画像を閲覧すると、閲覧者は、カメラ１の移動速度Ｖが速くなると視野が狭まったように感じる。これにより、速度感が薄れてしまうことを抑制でき、動画像の閲覧者に臨場感を与えることができる。
【００９４】
なお、第４の実施の形態のカメラ１において、撮像部３３として、撮像素子３３ａにおける撮像面の全域において同じ条件で撮像したり、撮像素子３３ａにおける撮像面の領域ごとに異なる条件で撮像したりすることができるものを用いてもよい。この場合、たとえば、撮像時処理対象領域に相当する撮像面の領域と、撮像時非対象領域に相当する撮像面の領域とで、異なる撮像条件を設定してもよい。以下の説明では、撮像時処理対象領域に相当する撮像面の領域を第１領域と呼び、撮像時非対象領域に相当する撮像面の領域を第２領域と呼ぶ。
【００９５】
たとえば、制御部３４は、第１領域の感度を第２領域の感度よりも低く設定してもよい。これにより、撮像時処理対象領域の画像が撮像時非対象領域の画像よりも明度が低下するので、上述した撮像時鮮明度低下処理を行った場合と同様の作用効果が得られる。
たとえば、制御部３４は、第１領域の露光時間を第２領域の露光時間よりも長く設定し、領域によって露光時間が違っても適正露出となるように第１領域の感度を第２領域の感度よりも低く設定してもよい。これにより、撮像時処理対象領域の画像の像ブレの量が撮像時非対象領域の画像の像ブレの量よりも多くなるので、第２の実施の形態のようにブラーを付加した場合と同様の作用効果が得られる。
たとえば、制御部３４は、第１領域のフレームレートを第２領域のフレームレートよりも下げる。これにより、第１領域の露光時間を第２領域の露光時間よりもさらに長く設定できるので、第２の実施の形態のようにブラーを付加した場合の作用効果をより一層高めることができる。
【００９６】
次のような変形も本発明の範囲内であり、変形例の一つ、もしくは複数を上述の実施形態と組み合わせることも可能である。
（変形例１）上述した第１および第２の実施の形態では、カメラ１の移動速度が速くなる場面では、自動的にクロップ処理や拡大処理等が行われた。これに対して変形例１では、動画像の再生時にクロップ処理や拡大処理等が行われるか否か等をユーザが再生モードを選択することで設定できる。
【００９７】
変形例１の画像表示装置１００では、たとえば、通常モードと、第１臨場感モードと、第２臨場感モードと、早送りモードの４つの再生モードのいずれかを設定可能である。ユーザは、たとえば入力部材１０６を操作することにより、４つの再生モードのいずれかを設定できる。
【００９８】
再生モードが通常モードに設定されると、制御回路１０１は、動画像の再生時にクロップ処理や拡大処理や領域設定処理や鮮明度低下処理を行わない。したがって、再生モードが通常モードに設定された場合、記憶装置１０２に記録されている画像ファイルの動画像がそのまま再生されてモニタ１０４に表示される。通常モードは、ユーザが動画像を広角のままで閲覧したいと望んでいる場合に適した再生モードである。
【００９９】
再生モードが第１臨場感モードに設定されると、制御回路１０１は、第１の実施の形態と同様に、動画像の再生時にクロップ処理および拡大処理を行なう。第１臨場感モードは、ユーザが動画像の臨場感をより感じたいと望んでいる場合に適した再生モードである。
【０１００】
再生モードが第２臨場感モードに設定されると、制御回路１０１は、第２の実施の形態と同様に、動画像の再生時に領域設定処理および鮮明度低下処理を行なう。第２臨場感モードは、モニタ１０４に表示される画像の範囲を狭めることなく動画像の臨場感をより感じたいとユーザが望んでいる場合に適した再生モードである。
【０１０１】
再生モードが早送りモードに設定されると、制御回路１０１は、動画像の再生時に、通常の再生速度よりも速い再生速度で動画像を再生する。なお、再生速度が速すぎると臨場感が薄れてしまうため、早送りモードにおける再生速度は、通常の再生速度のたとえば１．１倍から１．３倍程度に設定されることが望ましい。早送りモードは、第１臨場感モードや第２臨場感モードと同様に、ユーザが動画像の臨場感をより感じたいと望んでいる場合に適した再生モードである。
【０１０２】
（変形例２）上述した第１および第２の実施の形態では、画像表示装置１００をパーソナルコンピュータ等により構成したが、スマートフォンのようにカメラ機能を備えた高機能携帯電話機２５０（図１３）や、タブレット端末などのモバイル機器によって構成してもよい。
上述した高機能携帯電話機２５０、またはタブレット端末などのモバイル機器への上述した各実施の形態のプログラムの供給は、たとえば図１３に例示するように、プログラムを格納した画像表示装置（パーソナルコンピュータ）１００から赤外線通信や近距離無線通信によってモバイル機器へ送信することができる。
【０１０３】
パーソナルコンピュータ１００に対するプログラムの供給は、プログラムを格納したＣＤ−ＲＯＭなどの記録媒体２０４をパーソナルコンピュータ１００にセットして行ってもよいし、ネットワークなどの通信回線２０１を経由する方法でパーソナルコンピュータ１００へローディングしてもよい。通信回線２０１を経由する場合は、当該通信回線に接続されたサーバー２０２のストレージ装置２０３などにプログラムを格納しておく。
【０１０４】
また、通信回線２０１に接続された無線ＬＡＮのアクセスポイント（不図示）を経由して、モバイル機器へプログラムを直接送信することもできる。さらに、プログラムを格納したメモリカードなどの記録媒体２０４Ｂをモバイル機器にセットしてもよい。このように、プログラムは記録媒体や通信回線を介する提供など、種々の形態のコンピュータプログラム製品として供給できる。
【０１０５】
（変形例３および変形例４）上述した第１および第２の実施の形態では、動画像の再生時にクロップ処理や拡大処理等が行われている。変形例３では、画像ファイルの編集時にクロップ処理や拡大処理等が行われる。
変形例３の画像表示装置１００では、記憶装置１０２に記録されている動画像の画像ファイルを読み込んで、第１の実施の形態と同様にクロップ処理や拡大処理を行って新たな画像ファイルを生成する。すなわち、たとえば、図４に示したフレームＦ１やフレームＦ２の画像５０１，５０２は変更されずに新たな画像ファイルに記録されるが、フレームＦ３やフレームＦ４では、元の画像５０３，５０４に代えて、クロップ処理および拡大処理が行われた後の画像７０３，７０４が新たな画像ファイルに記録される。
このようにして、生成された新たな画像ファイルでは、動画像の再生時にクロップ処理や拡大処理等を行わなくても、カメラ１の移動速度Ｖが速くなる場面では画像の一部が拡大されてモニタ１０４に表示される。
【０１０６】
同様に、変形例４の画像表示装置１００では、記憶装置１０２に記録されている動画像の画像ファイルを読み込んで、第２の実施の形態と同様に領域設定処理や鮮明度低下処理を行って新たな画像ファイルを生成する。このようにして、生成された新たな画像ファイルでは、動画像の再生時に領域設定処理や鮮明度低下処理等を行わなくても、カメラ１の移動速度Ｖが速くなる場面では周辺部分の鮮明度が低下した画像がモニタ１０４に表示される。
【０１０７】
（変形例５）上述した第１および第２の実施の形態では、画像ファイルには、動画像の各フレームを撮像した時の撮像装置の移動速度の情報が含まれていた。しかし、画像ファイルに撮像装置の移動速度の情報が含まれてなくても、撮像地点の位置情報が含まれていれば、位置情報の変化から撮像装置の移動速度を求めるようにしてもよい。
また、画像ファイルに撮像装置の移動速度の情報が含まれてなくても、動画像の中で被写体が動く速さからカメラの移動速度を推定してもよい。
【０１０８】
（変形例６）上述した第１および第２の実施の形態における各処理によって、動画像の閲覧者が感じる速度感が向上するが、速度感の向上度合いをユーザが設定できるようにしてもよい。たとえば、図１４に示すように、速度感の向上度合いをユーザが設定するための設定表示８５を制御回路１０１がモニタ１０４の表示画面１０４ａに表示させるようにしてもよい。そして、たとえばユーザによって入力部材１０６が操作されて設定表示８５のスライダ８５ａが左右方向に動かされると、上述した各実施の形態における各処理による速度感の向上度合いが変更されるようにしてもよい。たとえば、第１の実施の形態では、スライダ８５ａの位置に応じて、クロップ処理における第１および第２のクロップ領域の大きさが変わるようにしてもよい。より具体的には、スライダ８５aの位置が右に移動するにつれてクロップ領域を狭くすることとしてもよい。たとえば、第２の実施の形態では、スライダ８５ａの位置に応じて、処理対象領域の広さや鮮明度低下処理における鮮明度の低下度合いが変わるようにしてもよい。より具体的には、スライダ８５aの位置が右に移動するにつれて対象領域の鮮明度を低下させることとしてもよい。
【０１０９】
また、たとえば、スキーやスノーボードなどのスポーツのように、撮影者が移動するスポーツでは、撮影者の移動速度が同じであっても、そのスポーツに対する撮影者の習熟度により撮影者自身が感じる速度感が異なる。この撮影者自身が感じる速度感が動画像の閲覧者に伝わるように、撮影者の習熟度に応じてユーザが速度感の向上度合いを設定できるようにしてもよい。たとえば、図１５に示すように、カメラ１とともに移動する撮影者の習熟度をパラメータとした設定表示８６を制御回路１０１がモニタ１０４の表示画面１０４ａに表示させるようにしてもよい。この設定表示８６は、スポーツの種類によって異なる複数の表示形態を表示可能としておくことが望ましい。図１５には、ユーザによって選択されたスポーツがスキー、スノーボードである場合の設定表示８６の一例を示す。図１５に示す表示画面１０４ａには、ユーザによって選択されたスポーツがスキー、スノーボードであることを表す表示８６ａと、習熟度合いの選択表示８６ｂとが表示される。
たとえばユーザによって入力部材１０６が操作されて選択表示８６ｂの「初級」、「中級」、「プロ級」のいずれかが選択されると、選択内容に応じて上述した各実施の形態における各処理による速度感の向上度合いが変更されるようにしてもよい。
なお、第３および第４の実施の形態においても、上述したように速度感の向上度合いをユーザが設定できるようにしてもよい。
【０１１０】
上述した第１の実施の形態から第４の実施の形態では、速度情報として、カメラ１の移動速度を例として説明したが、速度情報はカメラ１の移動速度に限られない。例えば、速度情報は、カメラ１と特定の対象物との距離の情報であってもよい。これは、カメラ１の速度が速くなると、特定の対象物までの距離の変化量が変わるためである。具体的には、カメラ１は、カメラ１と特定対象物との距離の変化の大きさ（変化量、変化率）に基づいて、クロップ領域を変更する。
【０１１１】
このような例では、制御回路１０１が、撮影時のカメラ１から特定の対象物までの距離情報を取得する。距離情報は、例えば、デフォーカス量から取得（算出）してもよく、ＴＯＦセンサの出力から算出してもよい。これらの情報は、撮影時に取得して記録しておくこととしてもよい。
なお、ＴＯＦセンサは、公知のＴＯＦ（time of flight）法に用いるイメージセンサである。ＴＯＦ法は、不図示の光源部から被写体に向けて光パルス（照射光）を発し、被写体で反射された光パルスがＴＯＦセンサへ戻ってくるまでの時間に基づいて、被写体までの距離を検出する技術である。制御部３４は、検出した被写体までの距離の変化に基づいて被写体とカメラ１との相対速度を算出し、算出した相対速度をカメラ１の移動速度Ｖとする。なお、撮像素子３３ａをＴＯＦセンサに利用してもよい。
【０１１２】
制御回路１０１は、取得した距離情報から距離の変化量Ｋ（または変化率）を算出する。表示範囲設定部１０１ｂは、第１のタイミングで算出した単位時間あたりの距離の変化量Ｋ（または変化率）が第１の所定値Ｋ１未満であればクロップ領域を変更しない。しかし、制御回路１０１で算出された距離の変化量Ｋ（または変化率）が第１の所定値Ｋ１以上であれば、表示範囲設定部１０１ｂは、クロップ領域を狭くなるようにする。
【０１１３】
詳述すると、表示範囲設定部１０１ｂは、距離の変化量Ｋが第１の所定値Ｋ１以上であり、かつ、第２の所定値Ｋ２未満（Ｋ１＜Ｋ２）であるフレームについては、そのフレームの画像に対して第１のクロップ領域を設定する。また、表示範囲設定部１０１ｂは、距離の変化量Ｋ（または変化率）が第２の所定値Ｋ２以上であるフレームについては、そのフレームの画像に対して第１のクロップ領域よりも狭い第２のクロップ領域を設定する。
なお、距離の変化量Ｋ（または変化率）に応じて２段階でクロップ領域を変更することは、一例であり、１段階であってもよく、３段階以上であってもよい。また、上述したようにクロップ領域を距離の変化の大きさに応じて段階的に長くするのではなく、距離の変化量Ｋ（または変化率）に応じて連続的にクロップ領域を変更するようにしてもよい。具体的には、距離の変化量Ｋ（または変化率）が大きくなるほど、クロップ領域を狭くすることとしてもよい。例えば、初期設定では、クロップ領域を設定せず（例えば全画角表示）、距離の変化量Ｋ（または変化率）が大きくなるほど、クロップ領域を狭くすることとしてもよい。
【０１１４】
上述した第１の実施の形態から第４の実施の形態では、速度情報として、カメラ１の移動速度を例として説明したが、速度情報はカメラ１の移動速度に限られない。例えば、速度情報は、特定の対象物の大きさの情報であってもよい。これは、カメラ１の速度が速くなると、特定の対象物の大きさの変化量が変わるためである。具体的には、カメラ１は、特定対象物の大きさの変化の大きさ（変化量、変化率）に基づいて、クロップ領域を狭くなるようにする。
【０１１５】
このような例では、制御回路１０１が、撮影された特定の対象物の大きさの情報を取得する。大きさの情報は、被写体認識（物体認識）の技術やエッジの抽出技術を用いて行えばよい。表示範囲設定部１０１ｂは、取得した特定の被写体の大きさの情報から大きさの変化量Ｍ（または変化率）を算出する。表示範囲設定部１０１ｂは、第１のタイミングで算出した単位時間あたりの大きさの変化量Ｍ（または変化率）が第１の所定値Ｍ１未満であればクロップ領域を変更しない。しかし、表示回路１０１で算出された大きさの変化量Ｍ（または変化率）が第１の所定値Ｍ１以上であれば、表示範囲設定部１０１ｂは、クロップ領域を狭くなるようにする。
【０１１６】
詳述すると、表示範囲設定部１０１ｂは、大きさの変化量Ｍが第１の所定値Ｍ１以上であり、かつ、第２の所定値Ｍ２未満（Ｍ１＜Ｍ２）であるフレームについては、そのフレームの画像に対して第１のクロップ領域を設定する。また、表示範囲設定部１０１ｂは、大きさの変化量Ｍ（または変化率）が第２の所定値Ｍ２以上であるフレームについては、そのフレームの画像に対して第１のクロップ領域よりも狭い第２のクロップ領域を設定する。なお、大きさの変化量Ｍ（または変化率）に応じて２段階でクロップ領域を変更することは、一例であり、１段階であってもよく、３段階以上であってもよい。また、上述したようにクロップ領域を大きさの変化量Ｍに応じて段階的に長くするのではなく、大きさの変化量Ｍ（または変化率）に応じて連続的にクロップ領域を変更するようにしてもよい。具体的には、大きさの変化量Ｍ（または変化率）が大きくなるほど、露光時間を長くすることとしてもよい。例えば、初期設定では、クロップ領域を設定せず（例えば全画角表示）、大きさの変化量Ｍ（または変化率）が大きくなるほど、クロップ領域を狭くすることとしてもよい。
【０１１７】
上述した第１の実施の形態から第４の実施の形態では、速度情報として、カメラ１の移動速度を例として説明したが、速度情報はカメラ１の移動速度に限られない。例えば、速度情報は、音の大きさであってもよい。これはカメラ１の速度が速くなるほど、取得する音の大きさ（特に風切音の大きさ）が大きくなるためである。具体的には、カメラ１は、撮影時に取得した音の大きさに基づいて、クロップ領域を狭くする。
【０１１８】
このような例では、制御回路１０１が、撮影時の音の大きさの情報を取得する。音の大きさの情報は、撮影して記録された音の解析を行えばよい。また、制御回路１０１は、風切音に対応する特定の周波数帯域の音の大きさの情報を取得することとしてもよい。制御回路１０１は取得した音の大きさの情報から音の大きさＳを算出する。表示範囲設定部１０１ｂは、音の大きさＳが第１の所定値Ｓ１未満であればクロップ領域を変更しない。しかし、音の大きさＳが第１の所定値Ｓ１以上であれば、表示範囲設定部１０１ｂは、クロップ領域を狭くなるようにする。
【０１１９】
詳述すると、表示範囲設定部１０１ｂは、音の大きさＳが第１の所定値Ｓ１以上であり、かつ、第２の所定値Ｓ２未満（Ｓ１＜Ｓ２）であるフレームについては、そのフレームの画像に対して第１のクロップ領域を設定する。また、表示範囲設定部１０１ｂは、音の大きさＳが第２の所定値Ｓ２以上であるフレームについては、そのフレームの画像に対して第１のクロップ領域よりも狭い第２のクロップ領域を設定する。なお、音の大きさＳに応じて２段階でクロップ領域を変更することは、一例であり、１段階であってもよく、３段階以上であってもよい。また、上述したようにクロップ領域を音の大きさＳに応じて段階的に長くするのではなく、音の大きさＳに応じて連続的にクロップ領域を変更するようにしてもよい。具体的には、音の大きさＳが大きくなるほど、クロップ領域を狭くすることとしてもよい。例えば、初期設定では、クロップ領域を設定せず（例えば全画角表示）、音の大きさＳが大きくなるほど、クロップ領域を狭くすることとしてもよい。
【０１２０】
また、上記の第１の実施の形態から第４の実施の形態では、移動速度Ｖ、距離の変化量Ｋ（変化率）、大きさの変化量Ｍ（変化率）、音の大きさＳに基づいて、クロップ領域を狭くする例を説明したが、当然、移動速度Ｖが相対的に遅くなった場合（距離の変化量Ｋが小さくなった場合、大きさの変化量が小さくなった場合、音の大きさが小さくなった場合）は、クロップ領域を相対的に広くすることとすればよい。
【０１２１】
次に、第２の実施の形態と第４の実施の形態で説明した鮮明度を下げる処理対象領域の設定の別の例について説明する。上述した第１の実施の形態から第４の実施の形態では、速度情報として、カメラ１の移動速度を例として説明したが、画像の周辺部分の鮮明度を下げる処理を説明したが、速度情報はカメラ１の移動速度に限られない。例えば、速度情報は、カメラ１と特定の対象物との距離の情報であってもよい。具体的には、カメラ１は、カメラ１と特定対象物との距離の変化の大きさ（変化量、変化率）に基づいて、処理対象領域を変更する。
【０１２２】
制御回路１０１Ａは、取得した距離情報から距離の変化量Ｋ（または変化率）を算出する。処理対象領域設定部１０１ｄは、第１のタイミングで算出した単位時間あたりの距離の変化量Ｋ（または変化率）が第１の所定値Ｋ１未満であれば処理対象領域を変更しない。しかし、制御回路１０１ｂで算出された距離の変化量Ｋ（または変化率）が第１の所定値Ｋ１以上であれば、処理対象領域設定部１０１ｄは、処理対象領域を広くなるようにする。
【０１２３】
詳述すると、処理対象領域設定部１０１ｄは、距離の変化量Ｋが第１の所定値Ｋ１以上であり、かつ、第２の所定値Ｋ２未満（Ｋ１＜Ｋ２）であるフレームについては、そのフレームの画像に対して第１の処理対象領域を設定する。また処理対象領域設定部１０１ｄは、距離の変化量Ｋ（または変化率）が第２の所定値Ｋ２以上であるフレームについては、そのフレームの画像に対して第１の処理対象領域よりも広い第２の処理対象領域を設定する。
なお、距離の変化量Ｋ（または変化率）に応じて２段階でクロップ領域を変更することは、一例であり、１段階であってもよく、３段階以上であってもよい。また、上述したように処理対象領域を距離の変化の大きさに応じて段階的に長くするのではなく、距離の変化量Ｋ（または変化率）に応じて連続的に処理対象領域を変更するようにしてもよい。具体的には、距離の変化量Ｋ（または変化率）が大きくなるほど、処理対象領域を広くすることとしてもよい。例えば、初期設定では、処理対象領域を設定せず（例えば全画角表示）、距離の変化量Ｋ（または変化率）が大きくなるほど、処理対象領域を広くすることとしてもよい。
【０１２４】
上述した第２の実施の形態では、速度情報として、カメラ１の移動速度を例として説明したが、速度情報はカメラ１の移動速度に限られない。例えば、速度情報は、特定の対象物の大きさの情報であってもよい。具体的には、カメラ１は、特定対象物の大きさの変化の大きさ（変化量、変化率）に基づいて、処理対象領域を広くなるようにする。
【０１２５】
このような例では、制御回路１０１Ａが、撮影された特定の対象物の大きさの情報を取得する。処理対象領域設定部１０１ｄは、第１のタイミングで算出した単位時間あたりの大きさの変化量Ｍ（または変化率）が第１の所定値Ｍ１未満であれば処理対象領域を変更しない。しかし、制御回路１０１Ａで算出された大きさの変化量Ｍ（または変化率）が第１の所定値Ｍ１以上であれば、処理対象領域設定部１０１ｄは、処理対象領域を広くなるようにする。
【０１２６】
詳述すると、処理対象領域設定部１０１ｄは、大きさの変化量Ｍが第１の所定値Ｍ１以上であり、かつ、第２の所定値Ｍ２未満（Ｍ１＜Ｍ２）であるフレームについては、そのフレームの画像に対して第１の処理対象領域を設定する。また、処理対象領域設定部１０１ｄは、大きさの変化量Ｍ（または変化率）が第２の所定値Ｍ２以上であるフレームについては、そのフレームの画像に対して第１の処理対象領域よりも広い第２の処理対象領域を設定する。なお、大きさの変化量Ｍ（または変化率）に応じて２段階で処理対象領域を変更することは、一例であり、１段階であってもよく、３段階以上であってもよい。また、上述したように処理対象領域を大きさの変化量Ｍに応じて段階的に長くするのではなく、大きさの変化量Ｍ（または変化率）に応じて連続的に処理対象領域を変更するようにしてもよい。具体的には、大きさの変化量Ｍ（または変化率）が大きくなるほど、処理対象領域を広くすることとしてもよい。例えば、初期設定では、処理対象領域を設定せず（例えば全画角表示）、大きさの変化量Ｍ（または変化率）が大きくなるほど、処理対象領域を広くすることとしてもよい。
【０１２７】
上述した第２の実施の形態では、速度情報として、カメラ１の移動速度を例として説明したが、速度情報はカメラ１の移動速度に限られない。例えば、速度情報は、音の大きさであってもよい。具体的には、カメラ１は、撮影時に取得した音の大きさに基づいて、処理対象領域を広くする。
【０１２８】
このような例では、制御回路１０１Ａが、撮影時の音の大きさの情報を取得する。音の大きさの情報は、撮影して記録された音の解析を行えばよい。また、制御回路１０１Ａは、風切音に対応する特定の周波数帯域の音の大きさの情報を取得することとしてもよい。制御回路１０１Ａは取得した音の大きさの情報から音の大きさＳを算出する。処理対象領域設定部１０１ｄは、音の大きさＳが第１の所定値Ｓ１未満であれば処理対象領域を変更しない。しかし、音の大きさＳが第１の所定値Ｓ１以上であれば、処理対象領域設定部１０１ｄは、処理対象領域を広くなるようにする。
【０１２９】
詳述すると、処理対象領域設定部１０１ｄは、音の大きさＳが第１の所定値Ｓ１以上であり、かつ、第２の所定値Ｓ２未満（Ｓ１＜Ｓ２）であるフレームについては、そのフレームの画像に対して第１の処理対象領域を設定する。また、処理対象領域設定部１０１ｄは、音の大きさＳが第２の所定値Ｓ２以上であるフレームについては、そのフレームの画像に対して第１の処理対象領域よりも広い第２の処理対象領域を設定する。なお、音の大きさＳに応じて２段階で処理対象領域を変更することは、一例であり、１段階であってもよく、３段階以上であってもよい。また、上述したように処理対象領域を音の大きさＳに応じて段階的に広くするのではなく、音の大きさＳに応じて連続的に処理対象領域を変更するようにしてもよい。具体的には、音の大きさＳが大きくなるほど、処理対象領域を広くすることとしてもよい。例えば、初期設定では、処理対象領域を設定せず（例えば全画角表示）、音の大きさＳが大きくなるほど、処理対象領域を狭くすることとしてもよい。
【０１３０】
また、上記の第２の実施の形態では、移動速度Ｖ、距離の変化量Ｋ（変化率）、大きさの変化量Ｍ（変化率）、音の大きさＳに基づいて、処理対象領域を広くする例を説明したが、当然、移動速度Ｖが相対的に遅くなった場合（距離の変化量Ｋが小さくなった場合、大きさの変化量が小さくなった場合、音の大きさが小さくなった場合）は、処理対象領域を相対的に狭くすることとすればよい。
【０１３１】
上述した実施の形態および変形例は、以下のような表示装置も含む。
（１）撮像装置によって生成された動画像データと、上記動画像データを生成している間の上記撮像装置の速度情報を取得する取得部と、上記取得部で取得した速度情報に基づいて、上記動画像データを用いて表示部に表示させる動画像に対して処理する領域を制御する表示制御部と、を備える表示装置。
（２）（１）のような表示装置において、上記取得部は上記撮像装置の移動速度の情報を取得し、上記表示制御部は、上記取得部が取得した移動速度の情報に基づいて上記動画像を処理する領域を制御する。
（３）（２）のような表示装置において、上記表示制御部は、上記移動速度が大きくなるにつれて、上記表示部に表示させる上記動画像の領域を狭くする。
（４）（３）のような表示装置において、上記表示制御部は、上記移動速度が第１移動速度よりも速い第２移動速度になると、上記表示部に上記動画像の第１の領域よりも狭い第２の領域を表示させる。
（５）（２）のような表示装置において、上記動画像の一部の領域に画像処理を行う画像処理部を備え、上記画像処理部は、上記移動速度が大きくなるについて、画像処理を行う領域を大きくし、上記表示制御部は、上記画像処理部によって一部の領域に画像処理が行われた動画像を表示させる。
（６）（５）のような表示装置において、上記画像処理部は、上記撮像装置の移動速度が第１移動速度よりも速い第２移動速度になると、上記動画像の領域のうちの第１の領域のよりも広い第２の領域に画像処理に画像処理を行う。
（７）（２）のような表示装置において、上記表示制御部は、上記移動速度の情報に基づいて上記動画像の特定の被写体にブレを付加した画像を表示させる。
（８）（１）のような表示装置において、上記取得部は上記撮像装置と特定の対象物までの距離情報を取得し、上記表示制御部は、上記取得部が取得した距離情報による距離の変化の大きさ基づいて上記動画像を処理する領域を制御する。
（９）（８）のような表示装置において、上記表示制御部は、上記距離の変化が大きくなるにつれて、上記表示部に表示させる上記動画像の領域を狭くする。
（１０）（９）のような表示装置において、上記表示制御部は、上記距離の変化の大きさが、第１の大きさよりも第２の大きさになると上記動画像の第１の領域よりも狭い第２の領域を表示させる。
（１１）（８）のような表示装置において、上記動画像の一部の領域に画像処理を行う画像処理部を備え、上記画像処理部は、上記距離の変化が大きくなるについて、画像処理を行う領域を大きくし、上記表示制御部は、上記画像処理部によって一部の領域に画像処理が行われた動画像を表示させる。
（１２）（１１）のような表示装置において、上記画像処理部は、上記距離の変化の大きさが第１の大きさよりも大きい第２の大きさになると、上記動画像の領域のうちの第１の領域のよりも広い第２の領域に画像処理に画像処理を行う。
（１３）（８）のような表示装置において、上記表示制御部は、上記距離の変化の大きさに基づいて上記動画像の特定の被写体にブレを付加した画像を表示させる。
（１４）（１）のような表示装置において、上記取得部は特定の対象物の大きさの情報を取得し、上記表示制御部は、上記取得部が取得した大きさの変化の大きさ基づいて上記動画像を処理する領域を制御する。
（１５）（１４）のような表示装置において、上記表示制御部は、上記大きさの変化が大きくなるにつれて、上記表示部に表示させる上記動画像の領域を狭くする。
（１６）（１５）のような表示装置において、上記表示制御部は、上記大きさの変化の大きさが、第１の大きさよりも第２の大きさになると上記動画像の第１の領域よりも狭い第２の領域を表示させる。
（１７）（１４）のような表示装置において、上記動画像の一部の領域に画像処理を行う画像処理部を備え、上記画像処理部は、上記大きさの変化が大きくなるについて、画像処理を行う領域を大きくし、上記表示制御部は、上記画像処理部によって一部の領域に画像処理が行われた動画像を表示させる。
（１８）（１７）のような表示装置において、上記画像処理部は、上記大きさの変化が第１の大きさよりも大きい第２の大きさになると、上記動画像の領域のうちの第１の領域のよりも広い第２の領域に画像処理に画像処理を行う。
（１９）（１４）のような表示装置において、上記表示制御部は、上記大きさの変化に基づいて上記動画像の特定の被写体にブレを付加した画像を表示させる。
（２０）（１）のような表示装置において、上記取得部は音の情報を取得し、上記表示制御部は、上記音の大きさに基づいて上記動画像を処理する領域を制御する。
（２１）（２０）のような表示装置において、上記表示制御部は、上記音の大きさが大きくなるにつれて、上記表示部に表示させる上記動画像の領域を狭くする。
（２２）（２１）のような表示装置において、上記表示制御部は、上記音の大きさが、第１の大きさよりも第２の大きさになると上記動画像の第１の領域よりも狭い第２の領域を表示させる。
（２３）（２０）のような表示装置において、上記動画像の一部の領域に画像処理を行う画像処理部を備え、上記画像処理部は、上記音の大きさが大きくなるについて、画像処理を行う領域を大きくし、上記表示制御部は、上記画像処理部によって一部の領域に画像処理が行われた動画像を表示させる。
（２４）（２３）のような表示装置において、上記画像処理部は、上記音の大きさが第１の大きさよりも大きい第２の大きさになると、上記動画像の領域のうちの第１の領域のよりも広い第２の領域に画像処理に画像処理を行う。
（２５）（２０）のような表示装置において、上記表示制御部は、上記音の大きさに基づいて上記動画像の特定の被写体にブレを付加した画像を表示させる。
また、上述した実施の形態および変形例は、以下のようなプログラムも含む。
（２６）プログラムは、コンピュータに、撮像装置によって生成された動画像データと、上記動画像データを生成している間の上記撮像装置の速度情報を取得させる第１手順と、上記第1手順で取得した速度情報に基づいて、上記動画像データを用いて表示部に表示させる動画像に対して処理する領域を制御第２手順と、を実行させる。
【０１３２】
上記では、種々の実施の形態および変形例を説明したが、本発明はこれらの内容に限定されるものではない。本発明の技術的思想の範囲内で考えられるその他の態様も本発明の範囲内に含まれる。
【０１３３】
次の優先権基礎出願の開示内容は引用文としてここに組み込まれる。
日本国特許出願２０１６年第１９４６３１号（２０１６年９月３０日出願）
【符号の説明】
【０１３４】
１００；画像表示装置
１０１，１０１Ａ；制御回路
１０１ａ；画像データ入力部
１０１ｂ；表示範囲設定部
１０１ｃ；表示画像生成部
１０１ｄ；処理対象領域設定部
１０４；モニタ
【図１】
2018062538.tif 000003
【図２】
2018062538.tif 000004
【図３】
2018062538.tif 000005
【図４】
2018062538.tif 000006
【図５】
2018062538.tif 000007
【図６】
2018062538.tif 000008
【図７】
2018062538.tif 000009
【図８】
2018062538.tif 000010
【図９】
2018062538.tif 000011
【図１０】
2018062538.tif 000012
【図１１】
2018062538.tif 000013
【図１２】
2018062538.tif 000014
【図１３】
2018062538.tif 000015
【図１４】
2018062538.tif 000016
【図１５】
2018062538.tif 000017
【国際調査報告】
2018062538.tif 000018
2018062538.tif 000019
2018062538.tif 000020